(57)【特許請求の範囲】
【請求項１】
監視制御装置及び監視対象装置を備える通信システムであって、
前記監視対象装置は、
監視対象装置を監視制御するための監視制御信号が多重化された主信号又は前記監視制御信号が多重化されていない主信号のいずれかを通す主信号経路に接続される第一経路接続部と、
前記監視制御信号を通す監視制御信号経路に接続される第二経路接続部と、
前記監視制御信号の送受信を前記主信号経路と前記監視制御信号経路とのいずれによって行うか選択する選択部と、
を備え、
前記監視制御装置は、
前記主信号経路に障害が生じた場合には前記監視制御信号経路によって前記監視制御信号を送信し、前記監視制御信号経路に障害が生じた場合には前記主信号経路によって前記監視制御信号を送信する監視制御部を備え、
前記監視制御部は、前記監視対象装置に対してＰｏｌｌｉｎｇ要求を送信し、前記監視制御部は、前記Ｐｏｌｌｉｎｇ要求を送信してから所定の時間以内に前記監視対象装置からＰｏｌｌｉｎｇ応答を受信していない場合に、前記監視対象装置に対して監視回線切替要求を送信し、
前記選択部は、前記監視対象装置が前記監視制御装置から前記監視回線切替要求を受信すると、現在選択されている経路とは異なる経路を選択し、前記監視制御装置に対して監視回線切替応答を送信する
通信システム。
【請求項２】
前記監視対象装置は、無線通信によって、他の監視対象制御装置と通信を行う請求項１に記載の通信システム。
【請求項３】
前記監視対象装置は、マイクロ波通信による無線通信によって、前記他の監視対象制御装置と通信を行う請求項２に記載の通信システム。
【請求項４】
前記監視制御部は、前記監視対象装置に対してＰｏｌｌｉｎｇ要求を送信し、前記監視制御部は、前記Ｐｏｌｌｉｎｇ要求を送信してから所定の時間以内に前記監視対象装置からＰｏｌｌｉｎｇ応答を受信していない場合に、前記監視対象装置に対して監視回線切替要求を送信する請求項１に記載の通信システム。
【請求項５】
監視制御装置及び監視対象装置を備える通信システムが行う通信方法であって、
監視対象装置を監視制御するための監視制御信号が多重化された主信号又は前記監視制御信号が多重化されていない主信号のいずれかを通す主信号経路に接続される第一経路接続部と、前記監視制御信号を通す監視制御信号経路に接続される第二経路接続部と、を備える前記監視対象装置が、前記監視制御信号の送受信を前記主信号経路と前記監視制御信号経路とのいずれによって行うか選択する選択ステップと、
前記監視制御装置が、前記主信号経路に障害が生じた場合には前記監視制御信号経路によって前記監視制御信号を送信し、前記監視制御信号経路に障害が生じた場合には前記主信号経路によって前記監視制御信号を送信する監視制御ステップと、を有し、
前記監視制御装置は、前記監視制御ステップにおいて、前記監視対象装置に対してＰｏｌｌｉｎｇ要求を送信し、前記Ｐｏｌｌｉｎｇ要求を送信してから所定の時間以内に前記監視対象装置からＰｏｌｌｉｎｇ応答を受信していない場合に、前記監視対象装置に対して監視回線切替要求を送信し、
前記監視対象装置は、前記選択ステップにおいて、前記監視制御装置から前記監視回線切替要求を受信すると、現在選択されている経路とは異なる経路を選択し、前記監視制御装置に対して監視回線切替応答を送信する
通信方法。
【発明の詳細な説明】
【技術分野】
【０００１】
本発明は、ネットワークに接続された端末装置を監視制御するための技術に関する。
【背景技術】
【０００２】
近年、マイクロ波通信システムは、光通信回線や無線幹線回線などの中間を補間する手段として注目されている。マイクロ波通信システムは、例えば携帯電話網、ビル間通信、光通信網の代替・バックアップ等幅広い用途を有している。昨今では、マイクロ波通信システムは、世界的に急速拡大する携帯電話ネットワーク市場にて、基地局間を結ぶ通信システムとして、装置の経済性、工事の容易性、システム変更に対する柔軟性、大容量性等の特長により大きく需要が伸長している。【０００３】
上記に伴い通信に対する高速・広帯域化の需要が高まっており、より安価で高品質な回線サービスの提供が所望されている。例えば、モバイルネットワークの複雑化に伴い、オペレータのＣＡＰＥＸ（Capital Expenditure）やＯＰＥＸ（Operating Expense）の削減が求められている。そのため、通信装置の経済化において障害発生時の回線切替えを行なう技術の向上は必要不可欠である。また、ＮＭＳ（Network Management System）とＮＥ（Network Element：ネットワークエレメント）との間では、監視・制御回線の切替え処理や経路変更処理を柔軟且つ動的に行う必要がある。そこで、従来から、これらを実現するための技術が提案されている（特許文献１参照）。【０００４】
上記のような監視・制御回線の切替え処理や経路変更処理を動的に実現するために、監視制御の信号（以下、「ＳＶ信号」という。）が用いられる。ＳＶ信号は、ＮＥ間の有線区間回線において主信号と分離されてそれぞれ異なる経路を用いて通信が行われる場合がある。またＳＶ信号は、ＮＥ間の有線区間回線において主信号に多重化されて同一の経路を用いて通信が行われる場合がある。ＳＶはSupervisoryの略である。
【先行技術文献】
【特許文献】
【０００５】
【特許文献１】日本国特開２００４−２３５７９１号公報
【発明の概要】
【発明が解決しようとする課題】
【０００６】
ＳＶ信号が主信号と分離されて通信が行われる場合には、ＳＶ信号の通信に用いられている経路に障害が発生した場合、ＮＭＳがＮＥの監視・制御を継続することは不可能となってしまう。一方、ＳＶ信号が主信号と多重化されて通信が行われる場合には、主信号の通信に用いられている経路に障害が発生した場合、ＮＭＳがＮＥの監視・制御を継続することは不可能となってしまう。【０００７】
上記事情に鑑み、本発明は、監視制御信号用の経路又は主信号用の経路のいずれか一方
に障害が発生した場合にも、ネットワークエレメントの監視又は制御を継続することを可
能とする通信システム及び通信方法を提供することを目的としている。
【課題を解決するための手段】
【０００８】
本発明の第一の態様による監視制御装置は、監視対象装置を監視制御するための監視制御信号が多重化された主信号又は前記監視制御信号が多重化されていない主信号のいずれかを通す主信号経路に接続される第一経路接続部と、前記監視制御信号を通す監視制御信号経路に接続される第二経路接続部と、前記監視制御信号の送受信を前記主信号経路と前記監視制御信号経路とのいずれによって行うか選択する選択部と、を備える監視対象装置に対し、前記主信号経路に障害が生じた場合には前記監視制御信号経路によって前記監視制御信号を送信し、前記監視制御信号経路に障害が生じた場合には前記主信号経路によって前記監視制御信号を送信する監視制御部を備える。【０００９】
本発明の第二の態様による監視対象装置は、監視制御装置によって監視制御され、前記監視制御装置が自装置を監視制御するための監視制御信号が多重化された主信号又は前記監視制御信号が多重化されていない主信号のいずれかを通す主信号経路に接続される第一経路接続部と、前記監視制御信号を通す監視制御信号経路に接続される第二経路接続部と、前記監視制御信号の送受信を前記主信号経路と前記監視制御信号経路とのいずれによって行うか選択する選択部と、を備える。
【発明の効果】
【００１０】
本発明により、監視制御信号用の経路又は主信号用の経路のいずれか一方に障害が発生した場合にも、ネットワークエレメントの監視又は制御を継続することが可能となる。
【図面の簡単な説明】
【００１１】
【図１】本発明の一実施形態における通信システムのシステム構成を表すシステム構成図である。
【図２】本発明の一実施形態におけるモデムの論理接続の構成例を表す図である。
【図３】本発明の一実施形態において、ＩＤＵ同士が有線通信する場合の物理接続の構成例である。
【図４】本発明の一実施形態において、各ＮＥにおける主信号経路及びＳＶ信号経路の全てが正常に動作していることを前提としたシーケンスを示す。
【図５】本発明の一実施形態において、主信号経路又はＳＶ信号経路に異常が発生した場合のＮＭＳによる経路変更処理のシーケンスを表す。
【図６】本発明の一実施形態において、主信号経路又はＳＶ信号経路に異常が発生した場合の各ＮＥによる経路変更処理のシーケンスを表す。
【図７】本発明の一実施形態における通信システムの変形例のシステム構成を表すシステム構成図である。
【図８】図７に示された変形例においてＩＤＵ同士が有線通信する場合の物理接続の構成例である。
【発明を実施するための形態】
【００１２】
図１は、通信システム１のシステム構成を表すシステム構成図である。図１では、通信システム１がマイクロ波通信システムに適用された場合の構成を表す。マイクロ波通信システムのＮＥ（Network Element）１００（１００−１〜１００−５）は、ネットワーク３００を経由して、ＮＭＳ（Network Management System）２００と通信を行う。また、ＮＥ１００は、有線通信又はマイクロ波通信によって、隣接する他のＮＥ１００と通信する。マイクロ波通信システムは通信システム１の一態様である。通信システム１は、一部に有線通信の経路を含むネットワークに設置された複数のＮＥ１００をＮＭＳ２００によって監視制御する通信システムであれば、他の通信方式が採用された通信システムに適用されても良い。
【００１３】
ＮＥ（監視対象装置）１００は、ＩＤＵ（Indoor Unit）１１０と、ＯＤＵ（Outdoor Unit）１２０と、不図示の分離合成器（ＨＹＢ）を備える。ＩＤＵ１１０は、信号を処理し、自身に接続されたＯＤＵ１２０又は有線ケーブルを介して他のＮＥ１００との通信を実現する。ＯＤＵ１２０は、アンテナを備え、互いにアンテナが対向する他のＯＤＵ１２０とマイクロ波通信による無線通信を行う。
【００１４】
ＮＭＳ（監視制御装置）２００は、ネットワーク３００を介して監視制御信号（ＳＶ信号：Supervisory信号）を各ＮＥ１００と送受信することによって、通信システム１の各ＮＥ１００の監視及び制御を行う監視制御部２１０を有する。また、ＮＭＳ２００の監視制御部２１０は、ネットワーク３００を介して主信号の送受信を行う。以下においては、ＮＭＳ２００の監視制御部２１０を、単にＮＭＳ２００と称する。
【００１５】
通信システム１には、主信号を送受信する際に用いられる通信経路（以下、「主信号経路」という。）と、ＳＶ信号を送受信する際に用いられる通信経路（以下、「ＳＶ信号経路」という。）と、がある。図１〜３、７および８において、符号Ｐの付された経路（実線の経路）は、主信号経路を示している。符号Ｑの付された経路（破線の経路）は、ＳＶ信号経路を示している。主信号経路とＳＶ信号経路とは、それぞれ物理的に異なるケーブルや回線を用いて実現される。主信号とは、通信システム１において送受信される主な信号である。主信号は、例えばエンドユーザーの端末装置によって送受信される信号（ユーザーデータ信号）や、ＮＥ１００が他のＮＥ１００と送受信するＮＥ１００間の制御信号を含む。ＳＶ信号とは、ＮＭＳ２００が各ＮＥ１００の監視や制御を行う際に使用する信号である。
【００１６】
図１に図示されるように、ＮＥ１００−１には、ネットワーク３００から主信号経路Ｐ及びＳＶ信号経路Ｑが接続されている。ＮＥ１００−１とＮＥ１００−５との間には、主信号経路Ｐが形成されている。ＮＥ１００−２とＮＥ１００−３との間、及び、ＮＥ１００−６とＮＥ１００−７との間には、主信号経路Ｐ及びＳＶ信号経路Ｑが形成されている。ＮＥ１００−４とＮＥ１００−８との間には、ＳＶ信号経路Ｑが形成されている。マイクロ波通信では、主信号及びＳＶ信号が送受信される。そのため、ＮＥ１００−１とＮＥ１００−２との間、ＮＥ１００−３とＮＥ１００−４との間、ＮＥ１００−５とＮＥ１００−６との間、ＮＥ１００−７とＮＥ１００−８との間では、それぞれマイクロ波通信によって主信号及びＳＶ信号の送受信が行われる。
【００１７】
図２はモデム１１１の論理接続の構成例を表す図である。モデム１１１は、ＩＤＵ１１０内に配備され、信号の変換処理を行い、ＯＤＵ１２０を介して無線通信を行う。ＯＤＵ１２０間のマイクロ波通信では、上述したように主信号及びＳＶ信号が送受信される。具体的には、ＳＶ信号は、ＯＤＵ１２０間のマイクロ波通信では、モデム１１１によって主信号の無線フレームに多重化されて伝送（ｉｎ−ｂａｎｄ伝送）される。モデム１１１は、管理部１１２（検出部）と、管理スイッチ（選択部）１１３と、第一ポート（第一経路接続部）１１４と、第二ポート（第二経路接続部）１１５を備える。
【００１８】
管理部１１２は、主信号に多重化されたＳＶ信号の分離処理及び主信号に対するＳＶ信号の多重化処理（合成処理）を行う。管理部１１２は、ＮＭＳ２００によって行われる制御に応じて、管理スイッチ１１３の切換えを行う。管理部１１２は、ＳＶ信号のＬＯＳ（Loss of Signal）、ＬＯＦ（Loss of Frame）、ＯＯＦ（Out of Frame）等の異常検出／障害管理を行う。異常が検出された場合、管理部１１２は管理スイッチ１１３を制御することによって選択ポートを変更し、動的な回線切替えや経路変更を実現する。
【００１９】
管理スイッチ１１３は、管理部１１２によって制御され、第一ポート１１４又は第二ポート１１５を選択する。
第一ポート１１４は、ＮＭＳ／ＮＥ管理データ（ＳＶ信号）が多重化された主信号又はＳＶ信号が多重化されていない主信号のいずれかのトラフィックを伝送する。第二ポート１１５は、ＳＶ信号のみのトラフィックを伝送する。第二ポート１１５は、主信号のトラフィックを伝送しないため、ＳＶ信号と主信号とが多重化されずに伝送される場合には、主信号のネットワーク輻輳を回避することが可能である。
【００２０】
管理スイッチ１１３が第一ポート１１４を選択した場合、第二ポート１１５は使用されず、第一ポート１１４にて主信号及びＳＶ信号のｉｎ−ｂａｎｄ伝送が実行される。管理スイッチ１１３が第二ポート１１５を選択した場合、第一ポート１１４は主信号のみを伝送し、第二ポート１１５はＳＶ信号のみをｏｕｔ−ｏｆ−ｂａｎｄ伝送にて伝送する。そのため、管理スイッチ１１３の選択状態にかかわらず、常に第一ポート１１４は主信号の伝送を行い、第二ポート１１５は主信号の伝送を行わない。
【００２１】
図３は、ＩＤＵ１１０同士が有線通信する場合の物理接続の構成例である。図３は、特に図１における８台のＮＥ１００のうち、ＮＥ１００−１及びＮＥ１００−５の各ＩＤＵ１１０の接続の例を示す。各ＩＤＵ１１０は、それぞれの第一ポート１１４を経由してケーブルが接続されることによって、主信号経路Ｐが形成されている。図３では、ネットワーク３００をネットワーク機器３１０として表す。この場合、ＮＭＳ２００はネットワーク機器３１０を経由して各ＮＥ１００の監視や制御を行う。
【００２２】
図４〜図６は通信システム１のシーケンスを表すシーケンス図である。図４〜図６におけるＮＥ＃１〜ＮＥ＃４は、必ずしも図１のＮＥ１００−１〜ＮＥ１００−４に対応する必要はない。すなわち、図４〜図６におけるＮＥ＃１〜ＮＥ＃４は、ネットワーク３００を介してＮＭＳ２００と通信可能に接続されており、ＮＭＳ２００との間のネットワークの一部に有線通信の経路が含まれていれば良い。ＮＥ＃１〜ＮＥ＃４は、上記条件を満たすネットワーク構成であればどのようなネットワーク構成でＮＭＳ２００と接続されていても良い。例えば、ＮＥ＃１〜ＮＥ＃４は、全てネットワーク３００と有線通信で接続された端末（例えば図１におけるＮＥ１００−１やＮＥ１００−５）として構成されていても良い。ＮＥ＃１〜ＮＥ＃４は、ＮＥ１００＃１〜ＮＥ１００＃４とも表記する。
【００２３】
図４に示されるシーケンスについて説明する。図４は、各ＮＥ１００（ＮＥ＃１〜ＮＥ＃４）における主信号経路及びＳＶ信号経路の全てが正常に動作していることを前提としたシーケンスを示す。
【００２４】
まず、各ＮＥ１００は、有線通信又はマイクロ波通信によって、隣接するＮＥ１００のプライマリＩＰアドレスを検出し、接続を確立する（ステップＳ１０１）。各ＮＥ１００のＩＤＵ１１０の各ポートには、予めＩＰアドレスが登録されており、各ポートのＩＰアドレスに基づいてＩＤＵ１１０のプライマリＩＰアドレスが選出されることを前提とする。
【００２５】
次に、ＮＭＳ２００は、各ＮＥ１００に対してＰｏｌｌｉｎｇ要求を送信する（ステップＳ１０２）。各ＮＥ１００は、Ｐｏｌｌｉｎｇ要求を受信すると、Ｐｏｌｌｉｎｇ要求の送信元であるＮＭＳ２００に対してＰｏｌｌｉｎｇ応答を送信する（ステップＳ１０３〜Ｓ１０６）。その後、ＮＭＳ２００は、全てのＮＥ１００からＰｏｌｌｉｎｇ応答を受信したことを確認し、接続確認を完了する（ステップＳ１０７）。ステップＳ１０１〜Ｓ１０６の各処理のコマンドは、ＳＶ信号を使用することによって送受信される。
【００２６】
図５は、主信号経路又はＳＶ信号経路のいずれか一方に異常が発生した場合のＮＭＳ２００による経路変更処理のシーケンスを表す。より具体的には、図５は、各ＩＤＵ１１０のモデム１１１の管理スイッチ１１３が第二ポート１１５（ｏｕｔ−ｏｆ−ｂａｎｄ）を予め選択しており、ＮＥ１００＃３とＮＥ１００＃４との間でＳＶ信号経路に障害が発生した場合のシーケンスを表す。各ＮＥ１００の第一ポート１１４経由の主信号経路（有線接続）が正常であること、主信号は補助信号として監視回線切替用コマンド（監視回線切替要求、監視回線切替応答）のフレームを多重していることを前提とする。
【００２７】
まず、各ＮＥ１００は、図４の場合と同様に、有線通信又はマイクロ波通信によって隣接するＮＥ１００のプライマリＩＰアドレスを検出し接続を確立する（ステップＳ２０１）。次に、ＮＭＳ２００は、各ＮＥ１００に対してＰｏｌｌｉｎｇ要求を送信する（ステップＳ２０２）。図５の場合、各ＩＤＵ１１０のモデム１１１の管理スイッチ１１３が第二ポート１１５（ｏｕｔ−ｏｆ−ｂａｎｄ）を予め選択しており、ＮＥ１００＃３とＮＥ１００＃４との間のＳＶ信号経路に障害が生じている。そのため、ＳＶ信号として送信されるＰｏｌｌｉｎｇ要求はＮＥ１００＃４に到達せず、ＮＭＳ２００はＮＥ１００＃４からＰｏｌｌｉｎｇ応答を受信しない（ステップＳ２０６）。一方、残る各ＮＥ１００とＮＭＳ２００との間のＳＶ信号経路には障害が生じていないため、ＮＭＳ２００はＮＥ１００＃１〜ＮＥ１００＃３からＰｏｌｌｉｎｇ応答を受信する（ステップＳ２０３〜Ｓ２０５）。
【００２８】
この場合、ＮＭＳ２００は、Ｐｏｌｌｉｎｇ応答を受信できなかったＮＥ１００＃４に対して、監視回線切替要求を送信する（ステップＳ２０７）。ＮＭ２００は、例えばステップＳ２０２の処理でＰｏｌｌｉｎｇ要求を送信してから所定の時間が経過してもＰｏｌｌｉｎｇ要求を受信していない場合に、そのＮＥ１００に対して監視回線切替要求を送信する。
【００２９】
上述のように、監視回線切替要求は、主信号に多重化されて送受信される。また、図５の場合は主信号経路に障害は生じていない。そのため、たとえＳＶ信号経路に障害が生じていたとしても、ＮＭＳ２００から送信された監視回線切替要求はＮＥ１００＃４に到達する。ＮＥ１００＃４がＮＭＳ２００から監視回線切替要求を受信すると、ＮＥ１００＃４の管理部１１２は、管理スイッチ１１３を制御することによって、選択ポートを第二ポート１１５から第一ポート１１４へ変更し監視回線切替を行う。そして、ＮＥ１００＃４は、ＮＭＳ２００に対して監視回線切替応答を送信する（ステップＳ２０８）。このとき、ＮＥ１００＃４は、主信号に対して監視回線切替応答を補助信号として多重することによって、監視回線切替応答を送信する。
【００３０】
ＮＭＳ２００は、ＮＥ１００＃４から監視回線切替応答を受信すると、各ＮＥ１００に対して回線切替後の経路（ＮＥ１００＃１〜１００＃３に対しては第二ポート１１５経由の経路、ＮＥ１００＃４に対しては第一ポート１１４経由の経路）を使用して、監視回線切替通知を送信する（ステップＳ２０９）。この後、ＮＭＳ２００は、ＳＶ信号によるＮＥの監視や制御を行うことが可能となる。
【００３１】
次に、各ＮＥ１００は、監視回線切替通知の受信をきっかけとして、隣接ＮＥ検出を行う（ステップＳ２１０）。この処理は、ＮＥ１００＃４に対する通信経路が異なることを除けば、ステップＳ２０１の処理と同じである。その後、ＮＭＳ２００は、回線切替後の経路を用いてステップＳ２０１と同様にＰｏｌｌｉｎｇ要求を送信する（ステップＳ２１１）。次に、ＮＭＳ２００は、回線切替後の経路によって各ＮＥ１００からＰｏｌｌｉｎｇ応答を受信する（ステップＳ２１２〜Ｓ２１５）。その後、ＮＭＳ２００は、全てのＮＥ１００からＰｏｌｌｉｎｇ応答を受信したことを確認し、接続確認を完了する（ステップＳ２１６）。隣接ＮＥ検出、Ｐｏｌｌｉｎｇ要求及びＰｏｌｌｉｎｇ応答のコマンドは、ＳＶ信号を使用することによって送受信される。
【００３２】
図５のシーケンスにおいて、上記の説明では回線切替後の経路は、ＮＥ１００＃１〜１００＃３に対しては第二ポート１１５経由の経路であり、ＮＥ１００＃４に対しては第一ポート１１４経由の経路であった。しかしながら、回線切替後においては、ＮＥ１００＃１〜ＮＥ１００＃４の全てに対する経路が第一ポート１１４経由の経路となっても良い。この場合、各ＮＥ１００の管理部１１２は、監視回線切替通知の受信をきっかけとして、隣接ＮＥ検出を行う前に管理スイッチ１１３を制御することによって、選択ポートを第二ポート１１５から第一ポート１１４へ変更し監視回線切替を行う。そして、各ＮＥ１００は、回線切替後の経路で隣接ＮＥ検出を行う。ただし、この場合はＮＥ１００＃１〜ＮＥ１００＃３において第一ポート１１４による通信経路に障害が生じていないことが前提となる。
【００３３】
図６は、主信号経路又はＳＶ信号経路に異常が発生した場合の各ＮＥ１００による経路変更処理のシーケンスを表す。より具体的には、図６は、ＮＥ１００＃３とＮＥ１１０＃４との間で障害が発生した場合のシーケンスを表す。図６のシーケンスは、障害を検出したＮＥ１００が有線接続による冗長経路を有していること、主信号と同様にＳＶ信号は補助信号として監視回線切替用コマンドのフレームを多重していることを前提とする。
【００３４】
各ＮＥ１００の管理部１１２は、ＳＶ信号に異常が発生したことを検出すると（ステップＳ３０１）、管理スイッチ１１３を制御することによって、回線切替を行う。例えば、異常の発生が検出された時点で第二ポート１１５が選択されていた場合には第一ポート１１４へ変更し、異常の発生が検出された時点で第一ポート１１４が選択されていた場合には第二ポート１１５へ変更する。そして、ＳＶ信号に異常が発生したことを検出したＮＥ１００（図６のＮＥ１００＃４）は、ＮＭＳ２００に対して監視回線切替応答を送信する（ステップＳ３０２）。このとき、ＮＥ１００＃４は、主信号に対して監視回線切替応答を補助信号として多重することによって、監視回線切替応答を送信する。
【００３５】
ＮＭＳ２００は、いずれかのＮＥ１００から監視回線切替応答を受信すると、全てのＮＥ１００に対し、回線切替後の経路を使用して監視回線切替通知を送信する（ステップＳ３０３）。その後、ＮＭＳ２００は、各ＮＥ１００に対して、ＳＶ信号によるＮＥ１００の監視や制御を行うことが可能となる。各ＮＥ１００は、監視回線切替通知の受信をきっかけとして、隣接ＮＥ検出を行う（ステップＳ３０４）。その後、ＮＭＳ２００は各ＮＥ１００に対しＰｏｌｌｉｎｇ要求を送信し、回線切替後の経路を使用して接続確認を完了する（ステップＳ３０５）。
【００３６】
図６のシーケンスにおいても図５のシーケンスと同様に、回線切替後は、ＮＥ１００＃１〜ＮＥ１００＃４の全てに対する経路が同一ポート経由の経路となっても良い。この場合、各ＮＥ１００の管理部１１２は、監視回線切替通知の受信をきっかけとして、隣接ＮＥ検出を行う前に管理スイッチ１１３を制御することによって、選択ポートを変更し監視回線切替を行う。そして、各ＮＥ１００は、回線切替後の経路で隣接ＮＥ検出を行う。この場合も、ＮＥ１００＃１〜ＮＥ１００＃３において切替後に使用する通信経路に障害が生じていないことが前提となる。
【００３７】
このように構成された通信システム１によれば、ＮＭＳ２００は、Ｐｏｌｌｉｎｇ応答が受信されないことによって障害の発生を検出し、ＮＭＳ／ＮＥ間の監視回線を切替えることが可能となる。言い換えれば、ＮＭＳ２００によって監視回線の経路変更処理を動的に行うことが可能となる。
【００３８】
また、通信システム１によれば、ＮＥ１００は、ＳＶ信号の障害検出を契機に、ＮＭＳ／ＮＥ間の監視回線を切替えることが可能となる。言い換えれば、各ＮＥ１００によって監視回線の経路変更処理を動的に行うことが可能となる。
【００３９】
また、通信システム１によれば、ｉｎ−ｂａｎｄおよびｏｕｔ−ｏｆ−ｂａｎｄ伝送にてＮＭＳ２００による各ＮＥ１００の監視や制御を行うことが可能となる。
【００４０】
＜変形例＞
図７は、通信システム１の変形例のシステム構成を表すシステム構成図である。図７に表されるシステム構成は、ＮＥ１００−１とＮＥ１００−５とが主信号経路及びＳＶ信号経路で接続されている点、及びＮＥ１００−４とＮＥ１００−８とが主信号経路及びＳＶ信号経路で接続されている点で図１に表されるシステム構成と異なる。図７に表されるシステム構成は、残る構成については図１と同じである。
【００４１】
図８は、変形例においてＩＤＵ１１０同士が有線通信する場合の物理接続の構成例である。図８は、特に図７における８台のＮＥ１００のうち、ＮＥ１００−１及びＮＥ１００−５の各ＩＤＵ１１０の接続の例を示す。各ＩＤＵ１１０は、それぞれの第一ポート１１４を経由してケーブルが接続されることによって、主信号経路Ｐが形成されている。また、各ＩＤＵ１１０は、それぞれの第二ポート１１５を経由してケーブルが接続されることによって、ＳＶ号経路Ｑが形成されている。図８では、ネットワーク３００をネットワーク機器３１０として表す。この場合、ＮＭＳ２００はネットワーク機器３１０を経由して各ＮＥ１００の監視や制御を行う。
【００４２】
このように構成された通信システム１の変形例によれば、ＮＥ１００において第二ポート１１５が選択された場合、第一ポート１１４を使用して、ＳＶ信号のトラフィックを伝送することも可能である。その場合、同一のＳＶ信号が第一ポート１１４及び第二ポート１１５へ伝送されるため、図７の通りＮＭＳ／ＮＥ間の監視・制御回線の二重化が可能となり信頼性が向上する。
【００４３】
以上、この発明の実施形態について図面を参照して詳述してきたが、具体的な構成はこの実施形態に限られるものではなく、この発明の要旨を逸脱しない範囲の設計等も含まれる。
【００４４】
この出願は、２００９年７月３１日に出願された日本出願特願２００９−１７９２１６を基礎とする優先権を主張し、その開示の全てをここに取り込む。
【産業上の利用可能性】
【００４５】
本発明は、ネットワークに接続された端末装置を監視制御するための技術適用できる。本発明によれば、監視制御信号用の経路又は主信号用の経路のいずれか一方に障害が発生した場合にも、ネットワークエレメントの監視又は制御を継続することが可能となる。
【符号の説明】
【００４６】
１００    ＮＥ（監視対象装置）
２００ ＮＭＳ（監視制御装置）
３００ ネットワーク
１１０ ＩＤＵ
１１１ モデム
１１２ 管理部（検出部）
１１３ 管理スイッチ（選択部）
１１４ 第一ポート（第一経路接続部）
１１５ 第二ポート（第二経路接続部）
１２０ ＯＤＵ
【図１】
0005626212.tif 000002
【図２】
0005626212.tif 000003
【図３】
0005626212.tif 000004
【図４】
0005626212.tif 000005
【図５】
0005626212.tif 000006
【図６】
0005626212.tif 000007
【図７】
0005626212.tif 000008
【図８】
0005626212.tif 000009